(57)【特許請求の範囲】
【請求項１】
エンジン始動操作時及び走行中の一定時間ごとに、運転者の顔から放射または反射される赤外線の被写体画像に基づいて、前記運転者の血液中に溶け込んでいるエチルアルコール濃度を測定して酒気帯び状態を推定する酒気帯び推定部と、
前記エンジン始動操作時に前記酒気帯び状態が推定された場合、前記運転者に反応テストを行わせ、前記反応テストの結果から前記酒気帯び状態を確定して対処する酒気帯び確定部と、
を備え、
前記走行中に酒気帯び状態が推定された場合又は前記エンジン始動操作時に酒気帯び状態が確定された場合に、前記運転者に警告を発信することを特徴とする酒気帯び運転防止装置。
【請求項２】
請求項１記載の酒気帯び運転防止装置に於いて、
前記酒気帯び確定部は、
ブレーキ操作を指示してから実際にブレーキペダルが踏み込まれるまでの反応時間を測定する反応時間測定部と、
前記測定された反応時間が所定の閾値時間以上の場合に酒気帯び状態を確定する反応時間判定部と、
前記酒気帯び状態を確定した場合に、所定の対処処理を実行する酒気帯び対処実行部と、
を備え、
前記反応時間判定部は、通常状態での反応時間を運転者固有の閾値時間として予め記憶し、前記測定された反応時間が前記閾値時間以上の場合に酒気帯び状態を確定することを特徴とする酒気帯び運転防止装置。
【請求項３】
請求項１又は２記載の酒気帯び運転防止装置に於いて、前記酒気帯び推定部は、
赤外線波長帯域に感度を有する撮像素子と、
被写体像を前記撮像素子に結像させる光学系と、
前記被写体からのエチルアルコールの吸収波長を含む第１波長帯域の赤外光を選択的に透過させる第１フィルタと、
前記被写体からの前記第１波長帯域の近傍となる前記エチルアルコールによる吸収率の小さな波長を含む第２波長帯域の赤外光を選択的に透過させる第２フィルタと、
前記第１フィルタを透過して結像された第１被写体画像及び前記第２フィルタを透過して結像された第２被写体画像を、前記撮像素子により撮像してメモリに格納する撮像制御部と、
前記メモリに格納された第１被写体画像と第２被写体画像に基づいて前記エチルアルコール濃度に対応したエチルアルコール含有度を算出するエチルアルコール検出部と、
前記エチルアルコール含有度が所定の閾値以上の場合に酒気帯び状態と判定する判定部と、
を備えたことを特徴とする酒気帯び運転防止装置。
【請求項４】
請求項１又は２記載の酒気帯び運転防止装置に於いて、前記酒気帯び推定部は、
１又は複数の赤外線受光素子を備えた赤外線センサと、
被写体像を前記赤外線受光センサに結像させる光学系と、
前記被写体からのエチルアルコールの吸収波長を含む第１波長帯域の赤外光を選択的に透過させる第１フィルタと、
前記被写体からの前記第１波長体域の近傍となる前記エチルアルコールによる吸収率の小さな波長を含む第２波長帯域の赤外光を選択的に透過させる第２フィルタと、
前記赤外線センサにより、前記第１フィルタを透過して受光された被写体の第１受光信号、及び前記第２フィルタを透過して受光された被写体の第２受光信号を検出してメモリに格納する受光制御部と、
前記メモリに格納された第１受光信号と第２受光信号に基づいて前記エチルアルコール濃度に対応したエチルアルコール含有度を算出するエチルアルコール検出部と、
前記エチルアルコール含有度が所定の閾値以上の場合に酒気帯び状態と判定する判定部と、
を備えたことを特徴とする酒気帯び運転防止装置。
【請求項５】
請求項３又は４記載の酒気帯び運転防止装置に於いて、
前記第１フィルタは、第１波長帯域として２．７７μｍ又は３．３７μｍを含む波長帯域の赤外光を選択的に透過させ、
前記第２フィルタは、前記第１波長帯域を含まない第２波長帯域の赤外光を選択的に透過させることを特徴とする酒気帯び運転防止装置。
【請求項６】
請求項１又は２記載の酒気帯び運転防止装置に於いて、前記酒気帯び推定部は、
赤外線波長帯域に感度を有する撮像素子と、
被写体像を前記撮像素子に結像させる光学系と、
前記被写体からのエチルアルコールの吸収波長を含む波長帯域の赤外光を選択的に透過させるフィルタと、
前記フィルタを透過して結像された被写体画像を、前記撮像素子により撮像してメモリに格納する撮像制御部と、
前記撮像制御部により前記フィルタを透過して結像された被写体画像を基準画像として不揮発メモリに予め格納する基準画像登録部と、
前記メモリの被写体画像と前記不揮発メモリの基準画像に基づいて前記エチルアルコール濃度に対応したエチルアルコール含有度を算出するエチルアルコール検出部と、
前記エチルアルコール含有度が所定の閾値以上の場合にエチルアルコールの検出を判定する判定部と、
を備えたことを特徴とする酒気帯び運転防止装置。
【請求項７】
請求項１又は２記載の酒気帯び運転防止装置に於いて、前記酒気帯び推定部は、
１又は複数の赤外線受光素子を備えた赤外線センサと、
被写体像を前記赤外線受光センサに結像させる光学系と、
前記被写体からのエチルアルコールの吸収波長を含む波長帯域の赤外光を選択的に透過させるフィルタと、
前記赤外線センサにより、前記フィルタを透過して受光された被写体の受光信号を検出してメモリに格納する受光制御部と、
前記受光制御部により前記フィルタを透過して受光された受光信号を基準受光信号として不揮発メモリに予め格納する基準受光信号登録部と、
前記メモリの受光信号と前記不揮発メモリの基準受光信号に基づいて前記エチルアルコール濃度に対応したエチルアルコール含有度を算出するエチルアルコール検出部と、
前記エチルアルコール含有度が所定の閾値以上の場合にエチルアルコールの検出を判定する判定部と、
を備えたことを特徴とする酒気帯び運転防止装置。
【請求項８】
請求項６又は７記載の酒気帯び運転防止装置に於いて、
前記フィルタは、波長帯域として２．７７μｍ又は３．３７μｍを含む波長帯域の赤外光を選択的に透過させることを特徴とする酒気帯び運転防止装置。
【請求項９】
請求項３、４、６又は７のいずれかに記載の酒気帯び運転防止装置に於いて、前記判定部は、前記所定の閾値として運転者の正常状態で取得したアルコール含有度を使用することを特徴とする酒気帯び運転防止装置。
【請求項１０】
請求項１記載の酒気帯び運転防止装置に於いて、
前記酒気帯び確定部は、
ブレーキ操作を指示してから実際にブレーキペダルが踏み込まれるまでの反応時間を測定する反応時間測定部と、
前記測定された反応時間が所定の閾値時間以上の場合に酒気帯び状態を確定する反応時間判定部と、
前記酒気帯び状態を確定した場合に、所定の対処処理を実行する酒気帯び対処実行部と、
を備え、
前記反応時間測定部は、音声出力、画面表示又は音声出力と画面表示の組合せによりブレーキ操作を指示することを特徴とする酒気帯び運転防止装置。
【請求項１１】
請求項２又は１０記載の酒気帯び運転防止装置に於いて、前記酒気帯び対処実行部は、エンジン始動禁止、代行運転依頼、シフトレバーのニュートラル位置でのロック、最高速度の安全走行速度への制限、外部機関への自動通報、又は緊急停止ランプの自動点滅のいずれかを実行することを特徴とする酒気帯び運転防止装置。
【発明の詳細な説明】
【技術分野】
【０００１】
本発明は、飲酒により血液中に溶け込んでいるエチルアルコールを人体から放射又は反射する赤外線に基づいて測定して酒気帯び運転を防止する酒気帯び運転防止装置に関する。
【背景技術】
【０００２】
従来、酒気帯び運転を防止するための装置にあっては、運転者の呼気に含まれるエチルアルコールをガスセンサにより検知し、自動車を始動させないように構成している（特許文献１）。
【０００３】
一般に、呼気中に含まれるアルコールの濃度は血液中のアルコール濃度と比例関係にある。法規上定められた酒気帯び運転の基準は、呼気中のアルコール濃度０．１５ｍｇ／Ｌであり、これは血中アルコール濃度で０．０３％に相当する。このため呼気中のアルコール濃度を測定することで、酒気帯び状態を検知して運転を防止することができる。
【０００４】
また近年にあっては自動車メーカーから飲酒運転防止コンセプトカーの開発が公表されており、次の装置が提案されている。
【０００５】
シフトレバーに組み込んだアルコール臭気センサーにより、シフトレバーに触れた掌の汗に含まれるアルコールを検知し、音声とカーナビ画面への表示によってドライバーへ警告し、同時にシフトロックする。
【０００６】
シート周辺に配置したアルコール臭気センサーにより、シフトレバーに触れた掌の汗に含まれるアルコールを検知し、音声とカーナビ画面への表示によってドライバーへ警告する。
【０００７】
メータ内に装備したカメラによって、ドライバーの顔をモニターし、覚醒度を推定し、酒気帯び運転の可能性があると判断した場合、音声とカーナビ画面への表示によってドライバーへ警告し、同時にシートベルトを巻き上げる等して、より強く警報を行う。
【０００８】
車両の運転挙動を検出し、ドライバーの運転状態を評価し、飲酒運転の可能性があると判断した場合、音声とカーナビ画面への表示によってドライバーへ警告し、同時にシートベルトを巻き上げる等して、より強く警報を行う。
【特許文献１】特開平８−１５０８５３号公報
【非特許文献１】公演要旨（ＶＩＳＩＯＮ  Ｖｏｌ．１５，  Ｎｏ．２，  １０１−１０４，  ２００３）、「車載表示器が自動車運転に及ぼす影響」、富山大学工学部、田村宏樹他
【発明の開示】
【発明が解決しようとする課題】
【０００９】
しかしながら、このような従来の酒気帯び運転防止装置にあっては、運転者の呼気に含まれるエチルアルコールをガスセンサにより検知しようとした場合、同上の正常者等が酒気帯び状態の運転者に代わってガスセンサに呼気を吹きかけることにより、容易になり替わりがなされてしまう。
【００１０】
また、このような従来の酒気帯び防止装置にあっては、運転者の位置する頭上近辺の空間の空気をファンにより吸引してガスセンサでアルコールを間接的に検知するようにしているため、呼気を直接採取してアルコール濃度を測定する場合に比べ、測定値が実際の呼気中のアルコール濃度に対し低めの値となり、確実に酒気帯び運転を防止できない恐れがある。
【００１１】
またアルコールを検知するガスセンサは使用中に異物の付着や酸化などにより感度が変化するため、自動的に感度を調整する校正処理が必要であり、更に、定期的に清掃点検などのメンテナンスをしなければ検出精度を維持することができないという問題がある。このような問題は、臭気センサーによるアルコールを検知する場合も同様に生ずる。
【００１２】
またシフトレバーに組み込んだアルコール臭気センサーにより手の汗に含まれるアルコールを検知するものにあっては、運転者が手袋をすることによって、容易にすり抜けが可能となってしまう問題がある。
【００１３】
また、カメラによりモニターしたドライバーの顔から覚醒度を推定して酒気帯びの可能性を判断するものにあっては、アルコールを直接検知していないため、精度にばらつきがあり、信頼性の点で解決すべき課題が多く、実用化には時間がかかることが懸念される。
【００１４】
また、車両の挙動から酒気帯びの可能性を判断するものにあっても、アルコールを直接検知していないため、個人差の大きい運転の仕方による車両の挙動の中から酒気帯び運転の可能性を判断するアルゴリズムを確立することは、信頼性の点で解決すべき課題が多く、同様に、実用化には時間がかかることが懸念される。
【００１５】
この問題を解決するため本願発明者にあっては、運転者から放射または反射される赤外線の被写体画像に基づいて、運転者の血液中に溶け込んでいるエチルアルコール濃度を測定して酒気帯び状態を検出し、エンジン始動操作時に酒気帯び状態を検出した場合はエンジンの始動を停止し、エンジン始動後に酒気帯び検出部で酒気帯び状態を検出した場合は車両を速度制御して停車状態に案内するようにした酒気帯び運転防止装置を提案している（特願２００８−１５９１５）。
【００１６】
この酒気帯び運転防止装置では、被写体からのエチルアルコールの吸収波長を含む第１波長帯域の赤外光による第１被写体画像、第１波長帯域の近傍となるエチルアルコールによる吸収率の小さな波長を含む第２波長帯域の赤外光による第２被写体画像、更に、エチルアルコールと同じ第１波長帯域に吸収波長を持つ外乱物質の他の吸収波長であり、かつエチルアルコールの吸収波長ではない波長を含む第３波長帯域の赤外光による第３被写体画像をフィルタ切替えにより撮像し、第１被写体画像と第２被写体画像に基づいてエチルアルコール濃度に対応したエチルアルコール含有度を算出し、また、第２被写体画像と第３被写体画像に基づいて外乱物質の濃度に対応した外乱度を算出し、エチルアルコール含有度が所定の閾値以上で外乱度が所定値未満の場合に酒気帯び状態と判定している。
【００１７】
このため波長帯域の異なる３つのフィルタとその切替えが必要となり、撮像光学系の簡略化が課題として残されている。
【００１８】
本発明は、エチルアルコール吸収波長の画像から運転者の放射または反射する赤外線から血中のエチルアルコールを測定して酒気帯び防止し且つメンテナンスフリーで信頼性の高い酒気帯び運転防止装置を提供することを目的とする。
【課題を解決するための手段】
【００１９】
本発明は、酒気帯び運転防止装置であって、
エンジン始動操作時及び走行中の一定時間ごとに、運転者の顔から放射または反射される赤外線の被写体画像に基づいて、運転者の血液中に溶け込んでいるエチルアルコール濃度を測定して酒気帯び状態を推定する酒気帯び推定部と、
エンジン始動操作時に酒気帯び状態が推定された場合、運転者に反応テストを行わせ、反応テストの結果から酒気帯び状態を確定して対処する酒気帯び確定部と、
を備え、
走行中に酒気帯び状態が推定された場合又はエンジン始動操作時に酒気帯び状態が確定された場合に、運転者に警告を発信することを特徴とする。
【００２０】
酒気帯び確定部は、
ブレーキ操作を指示してから実際にブレーキペダルが踏み込まれるまでの反応時間を測定する反応時間測定部と、
測定された反応時間が所定の閾値時間以上の場合に酒気帯び状態を確定する反応時間判定部と、
酒気帯び状態を確定した場合に、所定の対処処理を実行する酒気帯び対処実行部と、
を備え、
反応時間判定部は、通常状態での反応時間を運転者固有の閾値時間として予め記憶し、測定された反応時間が閾値時間以上の場合に酒気帯び状態を確定する。
【００２１】
ここで、酒気帯び推定部は、２波長切替方式であり、
赤外線波長帯域に感度を有する撮像素子と、
被写体像を撮像素子に結像させる光学系と、
被写体からのエチルアルコールの吸収波長を含む第１波長帯域の赤外光を選択的に透過させる第１フィルタと、
被写体からの第１波長体域の近傍となるエチルアルコールによる吸収率の小さな波長を含む第２波長帯域の赤外光を選択的に透過させる第２フィルタと、
第１フィルタを透過して結像された第１被写体画像及び第２フィルタを透過して結像された第２被写体画像を、撮像素子により撮像してメモリに格納する撮像制御部と、
メモリに格納された第１被写体画像と第２被写体画像に基づいてエチルアルコール濃度に対応したエチルアルコール含有度を算出するエチルアルコール検出部と、
エチルアルコール含有度が所定の閾値以上の場合に酒気帯び状態と判定する判定部と、
を備える。
【００２２】
また、酒気帯び推定部は、２波長方式であり、
１又は複数の赤外線受光素子を備えた赤外線センサと、
被写体像を赤外線受光センサに結像させる光学系と、
被写体からのエチルアルコールの吸収波長を含む第１波長帯域の赤外光を選択的に透過させる第１フィルタと、
被写体からの第１波長体域の近傍となるエチルアルコールによる吸収率の小さな波長を含む第２波長帯域の赤外光を選択的に透過させる第２フィルタと、
赤外線センサにより、第１フィルタを透過して受光された被写体の第１受光信号、及び第２フィルタを透過して受光された被写体の第２受光信号を検出してメモリに格納する受光制御部と、
メモリに格納された第１受光信号と第２受光信号に基づいてエチルアルコール濃度に対応したエチルアルコール含有度を算出するエチルアルコール検出部と、
エチルアルコール含有度が所定の閾値以上の場合に酒気帯び状態と判定する判定部と、
を備える。
【００２３】
第１フィルタは、第１波長帯域として２．７７μｍ又は３．３７μｍを含む波長帯域の赤外光を選択的に透過させ、第２フィルタは、第１波長帯域を含まない第２波長帯域の赤外光を選択的に透過させる。
【００２４】
また、酒気帯び推定部は、１波長固定方式であり、
赤外線波長帯域に感度を有する撮像素子と、
被写体像を撮像素子に結像させる光学系と、
被写体からのエチルアルコールの吸収波長を含む波長帯域の赤外光を選択的に透過させるフィルタと、
フィルタを透過して結像された被写体画像を、撮像素子により撮像してメモリに格納する撮像制御部と、
撮像制御部によりフィルタを透過して結像された被写体画像を基準画像として不揮発メモリに予め格納する基準画像登録部と、
メモリの被写体画像と不揮発メモリの基準画像に基づいてエチルアルコール濃度に対応したエチルアルコール含有度を算出するエチルアルコール検出部と、
エチルアルコール含有度が所定の閾値以上の場合にエチルアルコールの検出を判定する判定部と、
を備える。
【００２５】
また、酒気帯び推定部は、１波長固定方式であり、
１又は複数の赤外線受光素子を備えた赤外線センサと、
被写体像を赤外線受光センサに結像させる光学系と、
被写体からのエチルアルコールの吸収波長を含む波長帯域の赤外光を選択的に透過させるフィルタと、
赤外線センサにより、フィルタを透過して受光された被写体の受光信号を検出してメモリに格納する受光制御部と、
受光制御部によりフィルタを透過して受光された受光信号を基準受光信号として不揮発メモリに予め格納する基準受光信号登録部と、
メモリの受光信号と不揮発メモリの基準受光信号に基づいてエチルアルコール濃度に対応したエチルアルコール含有度を算出するエチルアルコール検出部と、
エチルアルコール含有度が所定の閾値以上の場合にエチルアルコールの検出を判定する判定部と、
を備える。
【００２６】
この場合、フィルタは、波長帯域として２．７７μｍ又は３．３７μｍを含む波長帯域の赤外光を選択的に透過させる。
【００２７】
酒気帯び確定部は、
ブレーキ操作を指示してから実際にブレーキペダルが踏み込まれるまでの反応時間を測定する反応時間測定部と、
測定された反応時間が所定の閾値時間以上の場合に酒気帯び状態を確定する反応時間判定部と、
酒気帯び状態を確定した時に、所定の対処処理を実行する酒気帯び対処実行部と、
を備える。
判定部は、所定の閾値として運転者の正常状態で取得したアルコール含有度を使用することが望ましい。
【００２８】
酒気帯び確定部は、
ブレーキ操作を指示してから実際にブレーキペダルが踏み込まれるまでの反応時間を測定する反応時間測定部と、
測定された反応時間が所定の閾値時間以上の場合に酒気帯び状態を確定する反応時間判定部と、
酒気帯び状態を確定した時に、所定の対処処理を実行する酒気帯び対処実行部と、
を備え、
反応時間測定部は、音声出力、画面表示又は音声出力と画面表示の組合せによりブレーキ操作を指示する。
【００３０】
酒気帯び対処実行部は、エンジン始動禁止、代行運転の依頼、シフトレバーのニュートラル位置でのロック、最高速度の安全走行速度への制限、外部機関への自動通報、又は緊急停止ランプの自動点滅のいずれかを実行する。
【発明の効果】
【００３１】
本発明によれば、運転者の体温による人体からの赤外線放射光または赤外線反射光、特に、皮膚が露出している顔からの赤外線放射光または赤外線反射光から毛細血管中のエチルアルコールによる特徴的な吸収スペクトルを検知して、血中アルコール濃度に対応したエチルアルコール含有度を得ることができ、このエチルアルコール含有度から運転者の酒気帯び状態を正確に推定できる。
【００３２】
また化粧品に含まれるメントールは、エチルアルコールと同じ波長にも吸収スペクトルをもつことで外乱要因となるが、酒気帯び運転を推定した後に、運転者にブレーキ反応テストなどの反応テストを行わせ、反応テストの結果から酒気帯び状態を確定しているため、エチルアルコールと同じメントール固有波長の吸収スペクトルにより誤って酒気帯び状態が推定されても、反応テストの結果から酒気帯び状態にないことが確定され、化粧品などによるエチルアルコールの誤検出を確実に防止することができる。
【００３３】
また、化粧品に含まれるメントールなどの外乱物質を判定する必要がないために、エチルアルコールと同じ波長帯域に吸収波長を持つ外乱物質の他の吸収波長であり、かつエチルアルコールの吸収波長ではない波長を含む波長帯域の赤外光による被写体画像をフィルタ切替えにより撮像する必要がなく、２波長切替方式または１波長固定方式とすることで、撮像光学系を簡単にしてコストの低減を図ることができる。
【００３４】
更に、被写体からの赤外光におけるエチルアルコール吸収スペクトルからエチルアルコール含有度を検知しているため、従来のガスセンサによるアルコール検知のような感度調整や清掃点検などのメンテナンスが不要であり、長期間に亘り安定した高い精度で人体のエチルアルコール含有度を検知し、酒気帯び運転を正確に判定することができる。
【００３５】
また、酒気帯び状態を確定した場合は、エンジン始動禁止、代行運転依頼、シフトレバーのニュートラル位置でのロック、最高速度の安全走行速度への制限、外部機関への自動通報、又は緊急停止ランプの自動点滅のいずれかを実行することにより、酒気帯び運転を確実に止めさせることができる。
【発明を実施するための最良の形態】
【００３６】
（２波長切替方式）
図１は２波長切替方式をとる本発明による酒気帯び運転防止装置の実施形態を示した説明図である。図１において、酒気帯び運転防止装置１０は、コンピュータのハードウェア環境を代表して示すＣＰＵ１１を有し、ＣＰＵ１１に対しては運転者の酒気帯び状態を検出するため、赤外線カメラ１２、波長可変フィルタ１４、カメラ制御部１６、フィルタ駆動部１８が設けられている。
【００３７】
赤外線カメラ１２は例えば車両のダッシュボードやメータパネルなどに内蔵されており、波長可変フィルタ１４を介して、被写体となる運転者の顔から放射または反射される赤外線放射光による画像を撮像する。
【００３８】
図２は本実施形態で使用する波長可変フィルタを用いた赤外線カメラを示した説明図である。図２において、赤外線カメラ１２の対物レンズ５６と結像レンズ５８の間には波長可変フィルタ１４が設けられ、波長可変フィルタ１４の透過波長はフィルタ駆動部１８により制御される。赤外線カメラ１２内には撮像素子６０が配置され、結像レンズ５８により結像された波長可変フィルタ１４を透過した波長帯域の赤外線画像を撮像する。
【００３９】
波長可変フィルタ１４はファブリペロー型干渉フィルタとして知られており、例えば２００〜３００オングストローム程度の厚みを有するＡｕなどの反射膜となる透過性の金属膜を対向する面に蒸着した一対のガラス基板を有し、一対のガラス基板を間に圧電素子を介して対向配置し、その間に微小間隔を設定している。ガラス基板の間の圧電素子は、フィルタ駆動部１８による直流電圧の印加を受けて、基板間隔を変化させることができる。
【００４０】
波長可変フィルタ１４は、一方のガラス基板側からの入射光に対し、透過性を持つ金属膜の間で多重反射によって生ずる干渉作用に起因して複数の透過スペクトルが分布して光を透過する。このような波長可変フィルタ１４としては、例えば特開平８−２８５６８８号のものが使用できる。
【００４１】
再び図１を参照するに、ＣＰＵ１１に対しては、不揮発メモリ２０とワーク用のメモリ２２が設けられる。不揮発メモリ２０には、ブレーキ操作テストで使用する反応閾値時間５４、特徴領域抽出画像５５が記憶され、更に、必要に応じて運転者を識別するための基準画像が予め登録されている。メモリ２２には、波長可変フィルタ１４による異なる波長帯域の切替えにより撮像された運転者の画像がλ１画像４６−１及びλ２画像４６−２として記憶される。
【００４２】
また、ＣＰＵ１１に対しては、エンジンＥＣＵ２４、音声警報部２６、ブレーキスイッチ２８、ディスプレイ３２を備えたナビゲーションシステム３０が設けられている。
【００４３】
更に、ＣＰＵ１１には、プログラムの実行により実現される機能として、酒気帯び推定部３６と酒気帯び確定部３８が設けられている。酒気帯び推定部３６は、運転者から放射される赤外線の被写体画像に基づいて、運転者の血液中に溶け込んでいるエチルアルコール濃度を測定して酒気帯び状態を定期的に推定する。
【００４４】
酒気帯び確定部３８は酒気帯び状態が推定された時に、運転者に反応テストを行わせ、反応テストの結果から酒気帯び状態を確定して対処する。本実施形態にあっては、反応テストとしてブレーキ操作テストを実行する。
【００４５】
酒気帯び推定部３６の機能は、詳細には、撮像制御部４０、エチルアルコール検出部４２、及び判定部４４で構成される。また、酒気帯び推定部３８の機能は、詳細には、反応時間測定部４８、反応時間判定部５０及び対処実行部５２で構成される。
【００４６】
本実施形態の酒気帯び運転防止装置１０にあっては、運転者の酒気帯び状態を顔面などの皮膚直下の毛細血管に表れる含有エチルアルコールにより検出する。毛細血管中の含有エチルアルコールの検出は、運転者の体温による人体からの赤外線放射光におけるエチルアルコールによる特定波長の吸収スペクトルによる減衰を検知することを基本としている。
【００４７】
なお、補助光源として設けた赤外線光源により運転者に赤外線を照射して監視する場合には、人体表面での赤外線反射光におけるエチルアルコールによる特定波長の吸収スペクトルによる減衰を検知することを基本としている。
【００４８】
図３は本実施形態で検知するエチルアルコールの波長スペクトル分布を示した説明図である。エチルアルコールＣ2Ｈ5ＯＨは、その分子構造に由来する吸収スペクトルを２．７７μｍ、３．３７μｍ及び９．５μｍなどの特定波長に持っている。例えば波長２．７７μｍの吸収スペクトルは、エチルアルコール中の−ＣＨ3の結合伸縮に伴い、エチルアルコール分子が吸光する波長帯である。
【００４９】
そこで運転者からの赤外光のうち、エチルアルコールの吸収波長λ１として、λ１＝２．７７μｍを含む第１波長帯域を選択的に透過させる第１フィルタとしてλ１フィルタに波長可変フィルタ１４を制御して赤外光を監視すると、エチルアルコールが毛細血管中に含まれている状態即ち酒気帯び状態では、λ１＝２．７７μｍを含む第１波長帯域の赤外光は毛細血管中のエチルアルコール濃度に応じた吸光度を示し、このときの撮像素子で撮像されたλ１画像４６−１における各画素から求められた受光量Ｉ１は小さくなる。
【００５０】
次に本実施形態にあっては、エチルアルコールの吸収スペクトルを与える波長λ１＝２．７７μｍの近傍にエチルアルコールによる吸収率の小さな波長λ２として、例えばλ２＝３．０μｍを含む第２波長帯域を選択的に透過させる第２フィルタとしてλ２フィルタに波長可変フィルタ１４を制御して運転者からの赤外光を監視する。
【００５１】
λ２フィルタを透過して得られる運転者からの赤外光の撮像画像であるλ２画像４６−２の画素から求められた受光量Ｉ２は、エチルアルコールの有無に関係なく、人体よりの赤外線放射量に相当する受光量が得られる。
【００５２】
ここで正常状態での人体よりの赤外線放射量をＩ0とすると、エチルアルコール吸収スペクトルとなる波長λ１＝２．７７μｍを含む第１波長帯域における吸光度ａは
ａ＝ｌｎ（Ｉ1／Ｉ0）
となる。またエチルアルコールによる吸収率の小さな波長λ２＝３．００μｍを含む第２波長帯域における吸光度ｂは
ｂ＝ｌｎ（Ｉ2／Ｉ0）
となる。
【００５３】
そして、第１波長帯域の吸光度ａと第２波長帯域の吸光度ｂとの間には
ａ＜ｂ＜０＝ｌｎ（Ｉ1／Ｉ0）＜Ｉｎ（Ｉ2／Ｉ0）＜０
の関係が成り立つ。
【００５４】
ここでエチルアルコール含有度Ａ１を
Ａ１＝ｂ−ａ＝ｌｎ（Ｉ2／Ｉ0）−Ｉｎ（Ｉ1／Ｉ0）
と表わし、これを変形すると、
Ａ１＝ｌｎ（Ｉ2／Ｉ0）−Ｉｎ（Ｉ1／Ｉ0）
＝ｌｎ｛Ｉｎ（Ｉ2／Ｉ0）／Ｉｎ（Ｉ1／Ｉ0）｝＝Ｉｎ（Ｉ2／Ｉ1）
となる。
【００５５】
このため、特性値として単に（Ｉ2／Ｉ1）を求めることで、エチルアルコール含有度Ａを表わすことができる。即ち本実施形態にあっては、エチルアルコール含有度Ａを
Ａ＝Ｉ2／Ｉ1        （１）
として算出する。この（１）式で与えられるエチルアルコール含有度Ａが、予め定めた所定値以上であれば、酒気帯びの度合が大きいと判断することができる。このような本実施形態におけるエチルアルコール含有度Ａの算出は、図１のＣＰＵ１１に設けた撮像制御部４０及びエチルアルコール検出部４２により行われる。
【００５６】
撮像制御部４０は、運転開始時は運転者が運転を開始するためにイグニッションキーをオンとしたような所定の検出タイミングで動作し、また、走行中は所定周期の検出タイミング毎に動作し、フィルタ駆動部１８による波長可変フィルタ１４の切替動作で、λ１フィルタ、λ２フィルタとしての波長帯域に切り替えながら、運転者の顔の画像を赤外線カメラ１２により撮像し、λ１フィルタを透過して結像された第１被写体画像であるλ１画像４６−１、λ２フィルタを透過して結像された第２被写体画像であるλ２画像４６−２のそれぞれをメモリ２２に格納する。
【００５７】
エチルアルコール検出部４２は、メモリ２２に格納されたλ１画像４６−１とλ２画像４６−２に基づいて、エチルアルコール濃度に対応した前記（１）式で与えられるエチルアルコール含有度Ａを算出する。
【００５８】
図４は図１のエチルアルコール検出部４２でエチルアルコール含有度Ａを計算する際に用いられる運転者の特徴領域抽出画像５５を示している。運転者６２の毛細血管中のエチルアルコールの濃度を赤外線受光量から検出するためには、運転者の顔の毛細血管が皮膚表面に表われていてエチルアルコールによる吸収スペクトルの減衰が十分に得られる場所を特定して、エチルアルコール含有度Ａを算出する必要がある。
【００５９】
図４の場合にあっては、エチルアルコールの有無に関係ない人体よりの赤外線放射量に相当する受光量が得られるλ２フィルタを透過して得られたλ２画像４６−２を対象に、毛細血管からの体温による赤外線放射が出易い例えば唇などの皮膚の薄い特徴抽出領域６４−１や、両目の周囲に設定した特徴抽出領域６４−２，６４−３を使用して、エチルアルコール含有度Ａを算出する。
【００６０】
前記（１）式におけるエチルアルコール含有度Ａを算出するためのλ１画像４６−１の受光量Ｉ１及びλ２画像４６−２の受光量Ｉ２の計算は、特徴抽出領域に含まれる画素値の総和または平均値を求め、これをＩ１，Ｉ２として前記（１）式からエチルアルコール含有度Ａを算出する。
【００６１】
前記（１）式にあっては、λ１画像の受光量Ｉ１とλ２画像４６−２の受光量Ｉ２の除算値（Ｉ２／Ｉ１）を計算しているが、この代わりに減算値（Ｉ２−Ｉ１）を計算しても良いし、二乗誤差（Ｉ２−Ｉ１）2を計算しても良い。
【００６２】
また、ログアンプなどを使用することにより直接的に吸光度
ｌｎ（Ｉ2／Ｉ1）＝ｌｎ（Ｉ2）−ｌｎ（Ｉ2）
を計算してもよい。
【００６３】
一方、被写体となる運転者６２が例えば女性であった場合には、撮影対象とする顔には化粧が施されており、この化粧品に含まれる物質として例えばメントールＣ10Ｈ20Ｏが存在した場合には、エチルアルコールが存在しないにも関わらず、メントールについてλ１画像４６−１にλ１＝２．７７μｍの吸収スペクトルが存在し、エチルアルコール含有度Ａを誤検出する場合がある。このようにエチルアルコールを誤検出させる物質を外乱物質という。
【００６４】
即ち、化粧品などに含まれるメントールＣ10Ｈ20Ｏはエチルアルコールと同様、２．７７μｍと３．３７μｍに吸収スペクトルを持っている。これに加え、メントールのベンゼン殻に由来する波長λ３＝３．２８μｍにも固有の吸収スペクトルを持っている。
【００６５】
そこで本実施形態にあっては、化粧品などに含まれるメントールをエチルアルコールによる酒気帯び状態の誤検出を防止するため、酒気帯び推定部３６の判定部４４でエチルアルコール含有度Ａが所定の閾値Ａｔｈ以上となって酒気帯び状態が推定された場合、酒気帯び確定部３８によりブレーキ反応テストを実行し、その結果から反応時間Ｔが閾値時間Ｔｔｈ以上と長くなった場合に、酒気帯び状態にあると確定し、対処処理を実行する。
【００６６】
本実施形態における外乱物質は、メントール以外に、同じく化粧品などに多く使用されているステアリン酸Ｃ17Ｈ35ＣＯＯＨが対象となる。ステアリン酸はエチルアルコールと同じ波長２．７７μｍと３．３７μｍに吸収スペクトルを持つが、エチルアルコールにはない−Ｃ００Ｈに起因した波長５．８８μｍに吸収スペクトルが表れる。
【００６７】
更に、エチルアルコールに対する外乱物質としてグリセリンＣ3Ｈ5（ＯＨ）3の場合には−ＣＨ3に由来する吸収スペクトルの波長２．７７μｍが表れないため、グリセリンについてはλ１フィルタのλ１画像４６−１につき、その受光量Ｉ１に減衰が起きず、前記（１）式で算出されるアルコール含有度Ａが所定値未満となってエチルアルコールでないことが確認でき、したがってグリセリンについては外乱物質として考慮する必要はない。
【００６８】
本実施形態は外乱物質として化粧品などに多く含まれるメントールとステアリン酸を例に取っているが、これ以外のエチルアルコールと同じ波長にスペクトル吸収を持つ物質が存在する場合にも、酒気帯び状態を推定した後のブレーキ操作テストにより、外乱物質によるエチルアルコールの誤検出を確実に回避することができる。
【００６９】
なお、-ＣＨ３と−ＯＨをもつ物質は無数にあり、その内、積極的に顔に付着させる可能性がある物質として、化粧品に含まれるメントールとステアリン酸を例示している。他にも、糖尿病患者の体内で生成されるアセト酢酸も、−ＣＨ３と−ＯＨを持ち、エタノールと同じスペクトル吸収帯を持ち、外乱物質として誤検出の原因になる。
【００７０】
図１の酒気帯び推定部３８には、反応時間測定部４８、反応時間判定部５０及び対処実行部５２が設けられている。
【００７１】
反応時間測定部４８はブレーキ操作を指示してから実際にブレーキペダルが踏み込まれるまでの反応時間Ｔを測定する。このブレーキ操作の指示は、音声警報部２６を用いた音声出力、ナビゲーションシステム３０のディスプレイ３２を用いた画面表示又は音声出力と画面表示の組合せにより行う。
【００７２】
反応時間判定部５０は、反応時間測定部４８により測定された反応時間Ｔが不揮発メモリ２０に記憶されている所定の反応閾値時間Ｔｔｈ以上の場合に酒気帯び状態を確定する。不揮発メモリ２０の反応閾値時間５４は、製造段階では設計時に決定されたデフォルト閾値時間を記憶しているが、ユーザが使用を開始すると、運転者が正常な状態での行ったブレーキ操作テストで得られた運転者固有の反応時間に反応閾値時間５４を更新する。
【００７３】
酒気帯び状態における運転者の反応時間への影響度は実験により確認されている。これによると反応すべき信号が表示されてから、ブレーキペダル操作を開始するまでの時間は、普通状態では約０．６秒なのに対し、酒気帯び状態では約０．７５秒に遅延する（非特許文献１）。
【００７４】
また本実施形態にあっては、反応時間測定部４８によるブレーキ操作テストは、酒気帯び状態が推定されない運転者が正常な状態で定期的に行われ、日常的に運転者がブレーキ操作テストを車両の安全を確保するためのテストと認識できるようにしており、併せて、反応閾値時間６４を更新し、運転者の時間的な変化に対応させて正確に酒気帯び状態を判定できるようにしている。
【００７５】
酒気帯び対処部５２は、酒気帯び確定部５０により酒気帯び状態を確定した時に、所定の対処処理を実行する。酒気帯び対処部５２により実行する対処処理としては、エンジン始動禁止、代行運転依頼、シフトレバーのニュートラル位置でのロック、最高速度の安全走行速度への制限、外部機関への自動通報、又は緊急停止ランプの自動点滅などがある。
【００７６】
なお、本実施形態にあっては、人体から体温により発せられる赤外線の、血液中エチルアルコールによる吸収スペクトル特性を検知することで、血中アルコール濃度に対応したエチルアルコール含有度を得ているが、ＣＣＤ撮像素子の信号量が不足する場合には、補助光源として赤外線光源を用いても良い。
【００７７】
ＣＣＤ撮像素子の信号量が不足する理由としては、赤外線カメラ１２と人体との距離が長い、赤外線カメラ１２のレンズ径が十分大きくできない等の、カメラ配置上の制限条件が挙げられる。赤外線光源を用いた場合、酒気帯び推定部３６は人体で反射される赤外線の、血液中エチルアルコールによる反射スペクトル特性を検知することにより、血中アルコール濃度に対応したエチルアルコール含有度Ａを得ることができる。
【００７８】
図５は図１の実施形態による酒気帯び運転防止処理を示したフローチャートであり、実際には、このフローチャートに従ったプログラムが図１のＣＰＵ１１で実行されることになる。
【００７９】
図５の酒気帯び運転防止処理は、運転者がイグニッションキーをセットしてエンジン始動操作を行ったときに起動する。まずステップＳ１で運転者認証処理を実行する。この運転者認証処理は赤外線カメラ１２により運転者画像を撮像して読み取り、不揮発メモリ２０に予め登録している登録画像と照合する。撮影画像と登録画像の照合一致により認証に成功するとステップＳ２に進む。
【００８０】
不揮発メモリ２０に予め登録している登録画像以外の運転者による撮影画像であった場合には、認証不成功となり、処理を終了することでエンジンは始動せず、車両を運転することができないようにする。なお本、不揮発メモリ２０に基準画像の登録をしていなければ、ステップＳ１の運転者認証処理はスキップすることになる。
【００８１】
ステップＳ１の運転者認証処理が認証成功もしくは登録画像がないことによりスキップしてステップＳ２に進むと、ＣＰＵ１１に設けた酒気帯び推定部３６及び酒気帯び確定部３８により、赤外線カメラ１２により運転者画像を取得してエチルアルコール検出処理を含む酒気帯状態検出処理を実行する。ステップＳ２の酒気帯状態検出処理の詳細は図６に示す。
【００８２】
酒気帯び状態検出処理においては、運転者の画像から検出されたアルコール含有度Ａと予め定められた閾値Ａｔｈと比較して酒気帯び状態を推定する。この際に不揮発メモリ２０に運転者の正常状態のアルコール含有度Ａを閾値Ａｔｈとして記憶させ、これと測定されたアルコール含有度Ａを比較することにより、各人の個人差を解消することもできる。
【００８３】
例えば、各人の持病や既往症、または服用薬剤によっては、正常状態においてもアルコール含有度Ａが一般人と異なる場合が考えられる。この場合には一様に定められた閾値によりアルコール含有度Ａを判断することが難しく、各人の正常状態におけるアルコール含有度Ａを不揮発メモリ２０に閾値として記憶し、これと運転時に測定されたアルコール含有度Ａと比較することにより正しい酒気帯び状態の推定がなされ、続いて行われるブレーキ操作テストにより、メントールなどの外乱物質による誤検出を回避した酒気帯び状態の確定判断が行われる。
【００８４】
続いてステップＳ３で、ステップＳ２の酒気帯び状態検出処理の処理結果から酒気帯び状態を判定した場合には、ステップＳ４に進み、運転者に警告を発信する。例えば音声警報部２８を使用して「酒気帯び運転が検知されました。始動できません」の音声メッセージを出力する。同時に、例えばナビゲージョンシステム３２のディスプレイ３４を利用して、運転者に酒気帯び運転の検知とエンジンが始動できない旨のメッセージ表示を行う。そしてステップＳ５でエンジン始動を禁止して処理を終了する。
【００８５】
このため、運転者が酒気帯び状態で車両のエンジンを始動して運転しようとしても、酒気帯び状態が検知されて、エンジンを始動することができず、酒気帯び運転を確実に防止できる。
【００８６】
一方、酒気帯び状態にある運転者が例えば酒を飲んでいない同乗者に依頼して車両のエンジンを始動させるような場合がある。このような運転者以外によるエンジンの始動は、ステップＳ１の運転者認証処理において運転者の基準画像の登録を行っていないような場合に可能である。
【００８７】
このように酒気帯び状態の運転者に代わって同乗者が成り済まし運転者となって車両のエンジンを始動した場合には、ステップＳ２の酒気帯び状態検出処理を行ってもステップＳ３で酒気帯び状態は判別されず、ステップＳ６に進んでエンジンが正常に始動する。
【００８８】
このように酒気帯び状態にある運転者に成り済まして同乗者がエンジンを始動することで、結果的にステップＳ２〜ステップＳ５の処理をすり抜けて酒気帯び運転が行われてしまう場合が想定される。
【００８９】
しかしながら、成り済ましによりエンジンを始動した後の酒気帯び運転については、ステップＳ７で走行中にあっても一定時間ごとの検査タイミングへの到達を判別するとステップＳ８に進み、ステップＳ２と同様に運転者画像を赤外線カメラ１２で撮像して酒気帯び状態検出処理が実行される。
【００９０】
この酒気帯び状態検出処理により、ステップＳ９で酒気帯び状態が判定されると、ステップＳ１０で運転者に警告を発信する。具体的には、音声警報部２８を使用して例えば「酒気帯びが検知されました。速度制御を開始します」との音声メッセージを出力する。同時に、ナビゲージョンシステム３０のディスプレイ３２などを利用して運転者に警告表示を行う。
【００９１】
続いてステップＳ１１に進み、酒気帯び状態の検出に基づき酒気帯び運転を強制的に止めさせるため、そのときの走行速度から徐々に速度を低下させて、最終的に停止速度に移行させる速度制御を行う。このステップＳ１１における速度制御に伴い、ステップＳ１２で速度制御に伴うガイダンスを音声警報部２６から行う。
【００９２】
このガイダンスは、例えば「停止します。安全な位置に車を移動して下さい」との音声メッセージを出力する。同時に、同じ音声メッセージの内容をディスプレイ３２に表示する。
【００９３】
このステップＳ１１の速度制御は、車両の速度は周囲の安全を確認して例えば路肩などに止めるに十分な時間、例えば２〜３分程度の時間に亘り、そのときの走行速度から停止速度に徐々に減速し、ステップＳ１３で、車両停止となった段階でエンジンを強制的に停止する。
【００９４】
そしてステップＳ１４で、警察や適宜の管理機関に対し、酒気帯び運転に対する対処要請を外部通報を行う。ここで警察に対する通報としては、酒気帯び運転の通報ではなく、酒気帯び状態にあることから車両を運転せずに路肩に停止していることを知らせる交通情報としての情報通告が主なものとなる。
【００９５】
同様な通報は、道路の管理機関である例えば国もしくは地方公共団体の道路管理事務所に対しても、酒気帯び運転を行わないために車両を路肩に停車している旨を通知する。このような警察機関もしくは道路管理事務所などの管理機関に対する酒気帯び運転を回避するための車両停止に関する交通情報が通報されることで、適切な道路交通に対する対処が可能となる。
【００９６】
図６は図５のステップＳ２及びＳ８における酒気帯び状態検出処理の詳細を示したフローチャートである。図６において、まずステップＳ１５で波長可変フィルタ１４をλ１フィルタとしての帯域にセットし、ステップＳ１６で赤外線カメラ１２の撮像動作を行ってλ１画像４６−１を取得してメモリ２２に保存する。
【００９７】
次にステップＳ１７で波長可変フィルタ１４をλ２フィルタとしての帯域にセットし、ステップＳ１８で赤外線カメラ１２によりλ２画像４６−２を取得してメモリ２２に保存する。このステップＳ１５〜Ｓ１８におけるλ１画像、λ２画像の撮像によるメモリ保存は、１回であってもよいし、必要に応じてｎ回連続的に撮像保存するようにしてもよい。
【００９８】
続いてステップＳ１９でλ１画像、λ２画像を対象に図４に示した特徴領域抽出画像５５の特徴抽出領域６２−１〜６２−３を設定し、この領域の画素につきλ１画像から受光量Ｉ１を計算し、λ２画像から受光量Ｉ２を計算し、前記（１）式によりアルコール含有度Ａを計算する。
【００９９】
続いてステップＳ２０で、算出したアルコール含有度Ａは予め定めた所定の閾値Ａｔｈ以上か否か判断する。この場合の閾値Ａｔｈは製造時に設計上定めたデフォルト閾値であってもよいし、運転者の正常状態で取得したアルコール含有度Ａの初期値を予め登録して使用してもよい。これにより例えば、糖尿病患者のように血液中に−ＣＨ3基や−ＯＨ基を含む体質の被験者の初期正常状態を正しく判断でき、酒気帯び度を正しく判定できる。すなわち酒気帯び状態でなくても少量の−ＣＨ3基が血中に存在する状態を初期値として記憶し、初期値と都度の運転時のアルコール含有度Ａの差を判定することで、個人差の影響を小さくすることができる。
【０１００】
ステップＳ２０でアルコール含有度Ａが所定値以上であった場合には毛細血管中にエチルアルコールが含有していると判断され、酒気帯び状態にあることが推定される。
【０１０１】
続いてステップＳ２１〜Ｓ２７のメントールなどの外乱物質による誤検出を回避するためのブレーキ操作テストを用いた酒気帯び状態の確定処理を実行する。まずステップＳ２２でブレーキ操作テストのガイダンスを例えば音声合成出力により行う。続いてステップＳ２２でブレーキ操作を音声合成出力により指示し、運転者にブレーキペダルを踏ませる。
【０１０２】
次にステップＳ２４でブレーキスイッチ２８のオンを判別するとステップＳ２５に進み、ブレーキ操作の指示でスタートし、ブレーキスイッチ２８のオンでストップしたタイマの値から反応時間Ｔを測定する。
【０１０３】
次にステップＳ２６で測定した反応時間Ｔを不揮発メモリ２０から読み出した反応閾値時間Ｔｔｈと比較し、反応閾値時間Ｔｔｈ以上であればステップＳ２７で酒気帯び状態を確定し、図５のメインルーチンにリターンする。
【０１０４】
ここで、ステップＳ２１〜Ｓ２６の処理は、複数回行い、その結果から酒気帯び状態の有無を確定する。
【０１０５】
一方、メントールのような外乱物質による酒気帯び状態の誤検出であって場合には、運転者は正常な状態にあることからブレーキ操作の反応時間Ｔは反応閾値時間Ｔｔｈ未満と短くなり、酒気帯び状態にないものと判断してステップＳ２８に進み、正常状態を確定する。
【０１０６】
続いて、ステップＳ２９で不揮発メモリ２０に記憶している反応閾値時間５４の更新処理を実行して図５のメインルーチンにリターンする。ステップＳ２９の反応閾値時間の更新処理の詳細は図７に示す。
【０１０７】
ここで、ステップＳ２１〜Ｓ２７のブレーキ操作テストを伴う酒気帯び状態確定処理における音声ガイダンス及び画面表示による具体例を示すと次のようになる。
【０１０８】
「安全運転のためブレーキの作動テストを行います。パーキングブレーキが入っていることを確認してください。ピッ、ピッ、ピッという発信音につづいてピーと連続音にかわりましたら、ブレーキペダルをすばやく踏み込んでください。」
「では、はじめます」
「ピッ、ピッ、ピッ、ピーッ」
「確認しています。しばらくお待ちください」
（反応速度が遅い場合）
「ブレーキは正常に動作しました。合図をしてからブレーキをふむまでの時間が遅れています。もう一度行います。」
「ピッ、ピッ、ピッという発信音につづいてピーと連続音にかわりましたら、ブレーキペダルをすばやく踏み込んでください。」
「では、はじめます」
「ピッ、ピッ、ピッ、ピーッ」
「確認しています。しばらくお待ちください」
（反応速度が再び遅い場合）
「ブレーキは正常に動作しますが、ブレーキを踏むまでにかなりの時間おくれがあります。体調がすぐれないか、酒気帯び運転と思われます。このまま運転をしますと重大な事故につながり危険です。酒気帯び運転の罰則は、免許停止６ケ月です。事故をおこしますと免許取り消しとなります。
運転を見合わせるか、代行運転を依頼してください。
代行運転を依頼する場合は、ｈｔｔｐ／／：ｗｗｗ．ｄａｉｋｏ又は０１２０−ｘｘｘ−ｘｘｘに連絡してください。」
「よろしければＹｅｓ、このまま運転をする場合はＮｏを選択してください。」
（Ｎｏを選択）
対処例１：「酒気帯び運転と判断します。シフトレバーをニュートラルにロックしました。」
対処例２：「酒気帯び運転と判断します。現在の反応速度での安全走行速度は時速？Ｋｍ／ｈです。最高速度を安全走行速度１５Ｋｍ／ｈに制限しました。」
対処例３：「酒気帯び運転と判断します。このまま走り始めた場合は、ただちに最寄の警察署に自動通報します」
対処例４：「酒気帯び運転と判断します。このまま走り始めた場合は、緊急停止ランプが自動的に点滅し、周囲の車両に注意を促します。」
これ以外にも様々な方法が可能であり、例えば次のようにできる。
（処理例１）
カーナビーションシステム等の表示画面上に、ブレーキ操作を指示する特定のマークを表示し、表示されてからブレーキペダルが操作されるまでの時間を計測する。例えば画面上のマークが緑から赤に変わった時点でブレーキ操作を行うよう指示する。
（処理例２）
ブレーキ操作を指示する音または表示を組み合わせることにより、判断の正確さと反応時間を評価し、酒気帯び度を判断する。例えば簡単な足し算を暗算で行わせ、１０を越えた時点でブレーキ操作を行うよう指示する。
（処理例３）
発信音「ピッ、ピッ、ピッ、ピーッ」かつ表示色が例えば緑から赤に変化した時点で、ブレーキ操作を行うよう指示する。この場合、表示色は緑、黄、赤と変化するが、緑から黄では操作しないようにする。
【０１０９】
図７は図６のステップＳ２９における反応閾値時間更新処理の詳細を示したフローチャートである。図７において、まずステップＳ３０で更新タイミングか否か判別する。更新タイミングは、ユーザが最初に車両を始動したとき、及びその後、一定の期間経過毎又は一定のエンジン始動回数毎とする。
【０１１０】
ステップＳ３０で更新タイミングが判別されると、ステップＳ３１でブレーキ操作テストのガイダンスを例えば音声合成出力により行う。続いてステップＳ３２でブレーキ操作を音声合成出力により指示し、運転者にブレーキペダルを踏ませる。
【０１１１】
次にステップＳ３３でブレーキスイッチ２８のオンを判別するとステップＳ３４に進み、ブレーキ操作の指示でスタートし、ブレーキスイッチ２８のオンでストップしたタイマの値から反応時間Ｔを測定する。
【０１１２】
次にステップＳ３５で測定した反応時間Ｔを不揮発メモリ２０に記憶している反応閾値時間Ｔｔｈに上書きして更新する。このステップＳ２１〜Ｓ３５の処理についても、測定値のばらつきを抑えるために複数回行い、その平均値により反応式時間を更新することが望ましい。
【０１１３】
ここで、ステップＳ３０〜Ｓ３５のブレーキ操作テストを伴う反応閾値時間更新処理における音声ガイダンス及び画面表示による具体例を示すと次のようになる。
【０１１４】
「安全運転のためブレーキの作動テストを行います。パーキングブレーキが入っていることを確認してください。ピッ、ピッ、ピッという発信音につづいてピーと連続音にかわりましたら、ブレーキペダルをすばやく踏み込んでください。」
「では、はじめます」
「ピッ、ピッ、ピッ、ピーッ」
「確認しています。しばらくお待ちください」
「確認しました。」
「もう一度おこないます」
「ピッ、ピッ、ピッ、ピーッ」
「確認しています。しばらくお待ちください」
「確認しました。」
「ブレーキは正常に動作しています。安全運転を心がけてください。」
図８は本発明による酒気帯び運転防止装置の他の実施形態で使用する回転円板を用いたフィルタ切替えの赤外線カメラを示した説明図である。赤外線カメラ１２には光学系と赤外線波長帯域に感度を持つＣＣＤ撮像素子が設けられている。赤外線カメラ１２の前には図１の波長可変フィルタ１４に代えてフィルタ切替ユニット６６が配置され、回転円盤の２箇所に帯域の異なるフィルタとして、本実施形態にあってはλ１フィルタ６８−１、λ２フィルタ６８−２を装着し、これらのフィルタをモータを備えた駆動部により順次切り替えながら、運転者の顏の赤外線放射光による画像を撮像する。
【０１１５】
図９は２波長切替方式をとる本発明による酒気帯び運転防止装置の他の実施形態を示したブロック図であり、この実施形態にあっては、複数の赤外線受光素子を備えたマルチ赤外線センサを使用したことを特徴とする。
【０１１６】
図９において、酒気帯び運転防止装置１０には、図１の赤外線カメラ１２に代えてマルチ赤外線センサ７０と信号制御部７２を設けている。
【０１１７】
図１０は図９のマルチ赤外線センサ７０を示している。マルチ赤外線センサ７０は、受光側にウィンドウ８０を備えたケース７８内に、例えば４つの赤外線受光素子８２−１〜８２−４を配置し、その前方の対角位置に２つずつにλ１フィルタ８６−１及びλ２フィルタ８６−２を配置している。赤外線検出素子８２−１〜８２−４からは外部にリード８４が取り出されている。
【０１１８】
赤外線検出素子８２−１〜８２−４としては、焦電素子、サーモパイル、サーミスタ、ボロメータなどの非冷却型素子を使用できる。またＭＣＴ、Ｉｎｓｂなどの冷却型素子を用いてもよい。
【０１１９】
λ１フィルタ８６−１は、エチルアルコールのスペクトル吸収波長λ１＝２．７７μｍを透過するフィルタである。λ２フィルタ８６−２は、エチルアルコールのスペクトル吸収波長の近傍のエチルアルコールの有無の影響を受けない波長λ２＝３．００μｍを透過するフィルタである。
【０１２０】
このようにフィルタと受光素子を１対１に対応して組み合わせたマルチ赤外線センサ７０によれば、マルチ赤外線センサ７０自体で固定的に波長λ１，λ２に対応した受光量を直接検出できるため、図１の実施形態に示した波長可変フィルタ１４とフィルタ駆動部１８が不要となり、装置構成が簡単に出来ると共に、ＣＰＵ１１による処理も簡略化されて処理負荷が低減できる。
【０１２１】
一方、ＣＰＵ１１の酒気帯び推定部３６には、マルチ赤外線センサ７０に対応して受光制御部７４の機能が設けられている。受光制御部７４は、マルチ赤外線センサ７０によりλ１フィルタ８６−１を透過して受光された被写体の第１受光信号であるλ１受光量７６−１をメモリ２２に記憶し、またλ２フィルタ８６−２を透過して受光された被写体の第２受光信号であるλ２受光量７６−２をメモリ３６に記憶している。
【０１２２】
なお、λ１受光量７６−１及びλ２受光量７６−２は、２つの赤外線検出素子の受光量の加算値又は平均値を求めて記憶している。
【０１２３】
即ちマルチ赤外線センサ７０を使用した場合には、受光制御部７４による受光制御でメモリ２２に直接、λ１受光量７６−１としてＩ１、λ２受光量７６−２としてＩ２、λ３受光量７６−３としてＩ３、更に、λ４受光量７６−４としてＩ４のそれぞれが得られる。
【０１２４】
このためエチルアルコール検出部４２にあっては、メモリ２２に格納されているλ１受光量Ｉ１とλ２受光量Ｉ２から前記（１）式によりエチルアルコール含有度Ａを算出し、判定部４４で酒気帯び状態の有無を推定する。
【０１２５】
ＣＰＵ１１に設けた酒気帯び確定部３８の機能は図１の実施形態と同じであり、反応時間測定部４８、反応時間判定部５０及び対処実行部５２の機能を備えており、ブレ壁操作テストの結果から酒気帯び状態の有無を確定している。
【０１２６】
図９の実施形態における酒気帯び運転防止処理は図５のフローチャートと同じであるが、図５のステップＳ２，Ｓ８における酒気帯び状態検出処理がマルチ赤外線センサ７０に固有な図１１のフローチャートに示す処理となる。
【０１２７】
図１１において、まずステップＳ３６で波長可変フィルタ１４をλ１フィルタとしての帯域にセットし、ステップＳ１７でマルチ赤外線センサ７０からλ１受光量Ｉ１を検出してメモリ２２に保存する。
【０１２８】
次にステップＳ３８で波長可変フィルタ１４をλ２フィルタとしての帯域にセットし、ステップＳ１９でマルチ赤外線センサ７０からλ２受光量Ｉ２を検出してメモリ２２に保存する。このステップＳ３６〜Ｓ３９におけるλ１受光量Ｉ１、λ２受光量Ｉ２の検出によるメモリ保存は、１回であってもよいし、必要に応じてｎ回連続的に撮像保存するようにしてもよい。続いてステップＳ４０で前記（１）式によりアルコール含有度Ａを計算する。
【０１２９】
続いてステップＳ４１で、算出したアルコール含有度Ａは予め定めた所定の閾値Ａｔｈ以上か否か判断する。ステップＳ２０でアルコール含有度Ａが所定値以上であった場合には毛細血管中にエチルアルコールが含有していると判断され、酒気帯び状態にあることが推定される。
【０１３０】
続いてステップＳ４２〜Ｓ５１のメントールなどの外乱物質による誤検出を回避するためのブレーキ操作テストを用いた酒気帯び状態の確定処理を実行する。このステップＳ４２〜５１の処理は、図６のステップＳ２０〜Ｓ２９の処理と同じである。
（１波長固定方式）
図１２は１波長固定方式をとる本発明による酒気帯び運転防止装置の実施形態を示したブロック図である。図１２において、酒気帯び運転防止装置１０にはＣＰＵ１１が設けられ、ＣＰＵ１１に対し赤外線カメラ１２、λ１フィルタ１５及びカメラ制御部１６が設けられている。
【０１３１】
赤外線カメラ１２は図２に示したように対物レンズ５６と結像レンズ５８を備えた光学系の間には波長可変フィルタ１６に代えて波長固定のλ１フィルタ１５を設けており、ｏ］λ１フィルタ１５は、エチルアルコールの吸収波長λ１であるλ１＝２．７７μｍを含む波長帯域を選択的に透過させる。
【０１３２】
ＣＰＵ１１に対しては、不揮発メモリ２０とワーク用のメモリ２２が設けられる。不揮発メモリ２０には、ブレーキ操作テストで使用する反応時間閾値５４、受光量の画素演算に用いる領域を特定する特徴領域抽出画像５５に加え、エチルアルコール含有度Ａの算出に用いる基準受光量８８が記憶されている。
【０１３３】
またメモリ２２には、λ１フィルタ１４を介して撮像された運転者の画像がλ１画像４６−１として記憶される。
【０１３４】
また、ＣＰＵ１１に対しては、エンジンＥＣＵ２４、音声警報部２６、ブレーキスイッチ２８、ディスプレイ３２を備えたナビゲーションシステム３０が設けられている。
【０１３５】
更に、ＣＰＵ１１には、プログラムの実行により実現される機能として、酒気帯び推定部３６と酒気帯び確定部３８が設けられている。
【０１３６】
酒気帯び推定部３６は、運転者から放射される赤外線の被写体画像に基づいて、運転者の血液中に溶け込んでいるエチルアルコール濃度を測定して酒気帯び状態を推定する。酒気帯び確定部３８は酒気帯び状態が推定された時に、運転者にブレーキ操作テストを行わせ、反応時間から酒気帯び状態を確定して対処する。
【０１３７】
酒気帯び推定部３６の機能は、詳細には、基準画像登録部９２、撮像制御部９４、エチルアルコール検出部９６、及び判定部４４で構成される。また、酒気帯び推定部３８の機能は、詳細には、反応時間測定部４８、反応時間判定部５０及び対処実行部５２で構成される。ここで、基準画像登録部９２、撮像制御部９４、及びエチルアルコール検出部９６は、固定波長のλ１フィルタ１５を用いた１波長固定方式に固有の処理を行うが、それ以外の判定部４４、反応時間測定部４８、反応時間判定部５０及び対処実行部５２は図１の実施形態と同じである。
【０１３８】
酒気帯び運転推定部３６は、装置の使用を開始する際の登録モードにおいて、毛細血管中にエチルアルコールが含まれていない正常時のエチルアルコールの吸収スペクトルを与える波長λ１＝２．７７μｍを含むλ１フィルタ１５を介して撮像したλ１画像を基準画像としてメモリ２２に格納し、この基準画像から求めた受光量Ｉｔｈを基準受光量５５として不揮発メモリ２０に記憶している。
【０１３９】
ここで、装置使用前の状態にあっては、装置製造の段階で設計値として求められた基準受光量がデフォルト値（Ｉｔｈ）0として不揮発メモリ２０に予め格納されており、登録モードの実行によりデフォルト値（Ｉｔｈ）0がユーザ固有の値Ｉｔｈに更新されることになる。
【０１４０】
登録モードにより基準画像から得られた基準受光量Ｉｔｈは、エチルアルコールが含まれていない正常時に人体より放射（または反射）される赤外線放射量に相当する受光量が得られる。
【０１４１】
ここで、エチルアルコールによる吸収スペクトルがある飲酒時のλ１受光量をＩ１とすると、エチルアルコール含有度Ａは、正常時の基準受光量Ｉｔｈとの比として次式で与えられる。
Ａ＝Ｉｔｈ／Ｉ１        （２）
（２）式のλ１受光量Ｉ１がエチルアルコール濃度の増加に応じて低下するため、エチルアルコール含有度Ａは、エチルアルコール濃度に応じて増加する関係にある。また、正常時はλ１受光量Ｉ１は基準受光量Ｉｔｈにほぼ等しいことからアルコール含有度チはＡ＝１付近の値となる。
【０１４２】
この（１）式で与えられるエチルアルコール含有度Ａが、予め定めた所定の閾値Ａｔｈ以上であれば、エチルアルコールの検出と判断でき、閾値未満であればエチルアルコールの非検出と判断できる。この場合の閾値Ａｔｈは、正常時のアルコール含有度をＡとすると、これに誤差を吸収するために１以上の所定の係数αを乗じて使用する例えばα＝１．２とすれば、Ａｔｈ＝１．２Ａで与えられる
このような図１２の実施形態におけるエチルアルコール含有度Ａの算出は、基準画像登録部９２、撮像制御部９４及びエチルアルコール検出部９６により行われる。
【０１４３】
基準画像登録部９２は、酒気帯び運転防止装置１０の使用を開始する登録モードの設定時に、撮像制御部９４によりカメラ制御部１６を制御し、λ１フィルタ１５を透過したエチルアルコールの吸収波長λ１＝２．７７μｍを含むλ１画像４６−１を撮像し、基準画像における特徴抽出領域画像５５で決まる図４に示した抽出領域６４−１〜６４−３の画素の値の総和又は平均値をＩｔｈとして算出し、これを基準受光量８８としてその値Ｉｔｈを不揮発メモリ２０に格納する。
【０１４４】
なお、登録を行う使用開始前の段階にあっては、不揮発メモリ２０には設計値として求められたディフォルトの基準受光量（Ｉｔｈ）0が予め登録されている。このため、登録モードの設定による登録処理を行わない場合には、ディフォルトの基準受光量（Ｉｔｈ）0がエチルアルコールの検出処理に使用されることになる。
【０１４５】
更に、基準画像登録部９２は、基準画像からエチルアルコール検出に用いる運転者の特徴領域を抽出するための図４に示した特徴領域抽出画像５５を生成し、これをテンプレートとして格納している。このため特徴領域抽出画像５５は前述したように基準画像から基準受光量８８を求める際にも使用されている。
【０１４６】
撮像制御部９４は、車両のエンジンを始動するためのイグニッションキーのオン操作に伴う検出要求の発生時に動作し、運転者の顔の画像を赤外線カメラ１２により撮像し、λ１フィルタ１５を透過して結像されたλ１画像４６−１をメモリ２２に格納する。
【０１４７】
なお、人体から体温により発せられる赤外線の、血液中エチルアルコールによる吸収スペクトル特性を検知することで、血中アルコール濃度に対応したエチルアルコール含有度を得ているが、ＣＣＤ撮像素子の信号量が不足する場合には、補助光源として赤外線光源を用いても良い。
【０１４８】
エチルアルコール検出部９６は、エチルアルコール含有度Ａを算出するためのλ１画像４６−１の受光量Ｉ１の計算として、図４に示した特徴領域抽出画像５５の特徴抽出領域６４−１〜６４−３に含まれる画素値の総和または平均値を求め、これをＩ１として、既に不揮発メモリ２０に格納している基準受光量８８の値であるＩｔｈを用いて前記（２）式からエチルアルコール含有度Ａを算出する。
【０１４９】
前記（２）式にあっては、基準画像５０の基準受光量Ｉｔｈとλ１画像５６の受光量Ｉ１の除算値（Ｉth／Ｉ1）を計算しているが、この代わりに減算値（Ｉth−Ｉ1）を計算しても良いし、二乗除算値（Ｉth／Ｉ1）2や二乗誤差（Ｉth−Ｉ1）2を計算しても良い。
【０１５０】
判定部４４は、エチルアルコール含有度Ａが所定の閾値Ａｔｈ以上であれば、酒気帯び状態と推定する。判定部４４で酒気帯び運転状態が推定されると、酒気帯び確定部３８が動作し、運転者にブレーキ操作テストを指示して反応時間Ｔを測定し、反応閾値時間Ｔｔｈ以上であれば、酒気帯び状態にあるとの判断を確定し、対処処理を実行する。一方、反応閾値時間Ｔｔｈ未満であれば、これはメントールなどの外乱物質による誤検出と判断し、正常状態にあるとの判断を確定する。
【０１５１】
図１２の実施形態における酒気帯び運転防止処理は、基準画像登録部９２による処理が加わる以外は、図５のフローチャートに示したと基本的に同じであり、更に、図５のステップＳ２，Ｓ８の酒気帯び状態検出処理が図１３のフローチャートに示すように１波長固定方式に固有な処理となる。
【０１５２】
図１３において、まずステップＳ５２で赤外線カメラ１２の撮影動作を行い、λ１画像４６−１を取得してメモリ２２に保存する。次にステップＳ５３で、図４に示したように、特徴領域抽出画像５５をメモリ２２に保存しているλ１画像４６−１に設定し、特徴領域６４−１〜６４−３に含まれる画素につき受光量Ｉ１を算出する。
【０１５３】
次にステップＳ５６で不揮発メモリ２０から基準受光量Ｉｔｈを読出し、前記（２）式によりアルコール含有度Ａを計算する。そしてステップＳ５７で、算出したアルコール含有度Ａが閾値Ａｔｈ以上か否かチェックし、閾値Ａｔｈ以上であった場合には酒気帯び状態と推定してステップＳ５８に進む。
【０１５４】
続いてステップＳ５８〜Ｓ６６のメントールなどの外乱物質による誤検出を回避するためのブレーキ操作テストを用いた酒気帯び状態の確定処理を実行する。このステップＳ５８〜６６の処理は、図６のステップＳ２１〜Ｓ２９の処理と同じである。
【０１５５】
このような図１２の１波長固定方式の実施形態によれば、エチルアルコール含有度を求める際に使用するエチルアルコールが血中にない正常時の被写体の撮像で得られたエチルアルコール吸収波長の被写体画像を基準として使用開始時の登録モードで取得して不揮発メモリに予め登録しておくことで、図１の実施形態のように、フィルタ切替えによりエチルアルコールの吸収スペクトルが存在しない別の波長帯域の被写体画像を基準として撮像する必要がなく、単一の波長固定フィルタですむことから被写体赤外線画像を撮像する光学系を簡単し、コストを低減できる。
【０１５６】
図１４は１波長固定方式をとるマルチ赤外線センサを用いた酒気帯び運転防止装置の他の実施形態を示したブロック図である。図１４において、酒気帯び運転防止装置１０には赤外線カメラに代えてマルチ赤外線センサ１０２を設けている。
【０１５７】
図１５は図１４のマルチ赤外線センサ１０２を示している。マルチ赤外線センサ１０２は、受光側にウィンドウ８０を設けたケース７８の内部に透過的に示すように、この実施形態にあっては４つの赤外線検出素子８２−１〜８２−４を配置している。赤外線検出素子８２−１〜８２−４の前にはエチルアルコールの吸収波長λ１であるλ１＝２．７７μｍを含む波長帯域を選択的に透過させるλ１フィルタ８６−１を配置している。
【０１５８】
このため、マルチ赤外線センサ１０２に運転者である被写体の像が結像されると、被写体の像即ち運転者の顔の像につき、４つに分割した領域ごとに赤外線検出素子８２−１〜８４−４に対応したλ１受光信号が得られ、その総和あるいは平均値を算出することで、λ１受光量Ｉ１を求めることができる。
【０１５９】
また基準受光信号の登録処理にあっては、４分割された赤外線検出素子８２−１〜８２−４から得られた４つの受光信号につき、その総和あるいは平均値を算出することで、求めたλ１受光量Ｉ１を基準受光量Ｉｔｈとする。
【０１６０】
図１４のＣＰＵ１１には酒気帯び推定部３６と酒気帯び確定部３８が設けられている。酒気帯び推定部３６には、マルチ赤外線センサ１０２に対応した固有の処理を行う基準受光信号登録部９８と受光制御部１００とが設けられ、エチルアルコール検出部９６と判定部４４は図１２の実施形態と同じある。
【０１６１】
また、酒気帯び推定部３８には、反応時間測定部４８、反応時間判定部５０及び対処実行部５２が設けられ、これらは図１２の実施形態と同じである。
【０１６２】
図１４の実施形態における酒気帯び運転防止処理は、基準受光信号登録部９８による処理が加わる以外は、図５のフローチャートに示したと基本的に同じであり、更に、図５のステップＳ２，Ｓ８の酒気帯び状態検出処理が図１６のフローチャートに示すようにマルチ赤外線センサを用いた１波長固定方式に固有な処理となる。
【０１６３】
図１６において、まずステップＳ６７でマルチ赤外線センサ１０２によりλ１受光量Ｉ１を検出してメモリ２２に保存する。次にステップＳ６８で不揮発メモリ２０に保存している基準受光量Ｉｔｈを読出し、ステップＳ６９で前記（２）式によりアルコール含有度Ａを計算する。そしてステップＳ７０で、算出したアルコール含有度Ａが閾値Ａｔｈ以上か否かチェックし、閾値Ａｔｈ以上であった場合にはステップＳ７１に進んで酒気帯び状態と推定し、ステップＳ７２に進む。
【０１６４】
続いてステップＳ７２〜Ｓ７９のメントールなどの外乱物質による誤検出を回避するためのブレーキ操作テストを用いた酒気帯び状態の確定処理を実行する。このステップＳ７２〜７９の処理は、図６のステップＳ２１〜Ｓ２９の処理と同じである。
【０１６５】
なお、上記の実施形態にあっては、複数の赤外線検出素子を備えたマルチ赤外線センサを使用しているが、単一の赤外線検出素子を備えた赤外線センサであっても良い。
【０１６６】
また、上記の実施形態にあっては、波長可変フィルタによるフィルタ切替えやフィルタ切替ユニットによる機械的なフィルタ切替えを例に取るものであったが、これ以外に回析格子などを用いた分光器により、目的とするスペクトル帯域の画像もしくは受光量を測定するようにしてもよい。
【図面の簡単な説明】
【０１６７】
【図１】２波長切替え方式をとる本発明による酒気帯び運転防止装置の実施形態を示したブロック図
【図２】本実施形態で使用する波長可変フィルタを用いた赤外線カメラを示した説明図
【図３】エチルアルコールの波長スペクトラム分布を示した説明図
【図４】本実施形態における特徴領域の抽出を示した説明図
【図５】図１の実施形態による酒気帯び運転防止処理を示したフローチャート
【図６】図５のステップＳ２、Ｓ８における酒気帯び状態検出処理の詳細を示したフローチャート
【図７】図６のステップＳ２９における反応閾値時間更新処理の詳細を示したフローチャート
【図８】本実施形態で使用するフィルタ切替えの赤外線カメラを示した説明図
【図９】２波長切替え方式をとる本発明による酒気帯び運転防止装置の他の実施形態を示したブロック図
【図１０】図９のマルチ赤外線センサを示した説明図
【図１１】図９の実施形態における酒気帯び状態検出処理を示したフローチャート
【図１２】１波長固定方式をとる本発明による酒気帯び運転防止装置の実施形態を示したブロック図
【図１３】図１２の実施形態における酒気帯び運転防止処理を示したフローチャート
【図１４】１波長固定方式をとる本発明による酒気帯び運転防止装置の他の実施形態を示したブロック図
【図１５】図１４のマルチ赤外線センサを示した説明図
【図１６】図１４の実施形態における酒気帯び運転防止処理を示したフローチャート
【符号の説明】
【０１６８】
１０：酒気帯び運転防止装置
１１：ＣＰＵ
１２：赤外線カメラ
１４：波長可変フィルタ
１５：λ１フィルタ
１６：カメラ制御部
１８：フィルタ駆動部
２０：個人認証メモリ
２２：メモリ
２４：エンジンＥＣＵ
２６：音声警報部
２８：ブレーキスイッチ
３０：ナビゲーションシステム
３２：ディスプレイ
３６：酒気帯び推定部
３８：酒気帯び確定部
４０，９４：撮像制御部
４２，９６：エチルアルコール検出部
４４：判定部
４６−１：λ１画像
４６−２：λ２画像
４８：反応時間測定部
５０：反応時間判定部
５２：対処実行部
５４：反応閾値時間
５６：対物レンズ
５８：結像レンズ
６０：ＣＣＤ撮像素子
６２：画像
６４−１〜６４−３：特徴抽出領域
６６：フィルタ切替ユニット
６８−１：λ１フィルタ
６８−２：λ２フィルタ
７０，１０２：マルチ赤外線センサ
７２：信号制御部
７４，１００：受光制御部
７８：ケース
８０：ウインドウ
８２−１〜８２−４：赤外線検出素子
８４：リード
８６−１：λ１フィルタ
８６−２：λ２フィルタ
８８：基準受光量
９０：特徴抽出領域画像
９２：基準画像登録部
９８：基準受光信号登録部
【図１】
0005213109.tif 000002
【図２】
0005213109.tif 000003
【図３】
0005213109.tif 000004
【図４】
0005213109.tif 000005
【図５】
0005213109.tif 000006
【図６】
0005213109.tif 000007
【図７】
0005213109.tif 000008
【図８】
0005213109.tif 000009
【図９】
0005213109.tif 000010
【図１０】
0005213109.tif 000011
【図１１】
0005213109.tif 000012
【図１２】
0005213109.tif 000013
【図１３】
0005213109.tif 000014
【図１４】
0005213109.tif 000015
【図１５】
0005213109.tif 000016
【図１６】
0005213109.tif 000017